(57)【要約】【課題】  従来のブラシ体は同一品の使い回しであり、ブラシの長さ、硬さともに限定され、例えば表面が美麗で通常的な軽度の汚れである付着塵埃だけのステップにおいては効果を発揮するものの、例えば既設エスカレーターで、ステップ表面（特にクリート溝内）に塵埃がこびりついて凝固、固着した場合には、それら固着塵埃の除去が困難であった【解決手段】  この問題を解消するため本発明のエスカレーター１が備える清掃装置８は、それぞれ長さと硬軟程度が異なるブラシ８Ｂと８ＢＢを植立した第一のブラシ体８Ｃと第二のブラシ体８ＣＣの二種類を使い分けて汚れ度合いが異なるステップ３の清掃に対処する清掃装置８を提供するものである。【選択図】図２
2012148891.tif 000002
【特許請求の範囲】
【請求項１】
乗降口において出入りするステップと、この乗降口を構成する床板と、この床板の先端部に固定されて前記ステップのクリート溝に噛み合う歯先を有するコームと、前記コームと床板間に装着した状態で前記クリート溝に摺接するブラシ体からなるエスカレーターの清掃装置において、前記清掃装置を、短毛かつ硬質材でなる第一のブラシ体と、長毛かつ軟質材でなる第二のブラシ体で構成し、前記第一のブラシ体を短期間装着して前記クリート溝内の固着塵埃を除去し、しかる後に前記第二のブラシ体を長期間装着して前記クリート溝内の付着塵埃を除去する構成としたことを特徴とするエスカレーターの清掃装置。
【発明の詳細な説明】
【技術分野】
【０００１】  本発明は、動く歩道を含めて通称されるエスカレーターの乗降口床板部分に装着するステップの清掃装置に関する。
【背景技術】
【０００２】  本技術分野の背景技術として、特開２００１−３３５２７３号公報（特許文献１）があり、この公報には「乗降口に清掃装置を設け、一定期間ごとにその取付け方向（乗降口）を変更する」の要点が記載されている。
【先行技術文献】
【特許文献】
【特許文献１】特開２００１−３３５２７３号公報
【発明の概要】
【発明が解決しようとする課題】
【０００３】  上記文献１に開示された清掃装置は、エスカレーター両端部でステップが出入りする乗降口に配置されたコームと床板で上下方向に挟むように装着したブラシ体で構成され、このブラシ体をある一定期間は乗降口部分でステップが入り込む側に装着し、またある一定期間は乗降口部分でステップが出る方向に装着することによりブラシ毛先の癖（一方向になびく変形）を矯正しつつステップの汚れに対する清掃能力を発揮する一方、美観維持とステップ周囲の注意喚起色を常時鮮明にしての安全効果、ブラシの寿命増しによる保全効果を得ることを意図したものである。しかし、この従来のブラシ体はあくまでも同一品の使い回しであり、ブラシの長さ、硬さともに限定され、例えば新設エスカレーターで表面が美麗で通常的な軽度の汚れである付着塵埃だけのステップにおいては効果を発揮（ブラシによりステップへの付着塵埃を排除できる）するものの、例えば年月を経た既設エスカレーターで、ステップ表面（特にクリート溝内）に塵埃がこびりついて凝固、固着した場合には、それら固着塵埃の除去が困難であった。ここで、こびりついた固着塵埃の除去を意図してブラシを短毛かつ硬質材に設定した場合には、塵埃の付着していないステップ表面に強く摺接してステップの表面塗装を剥がしてしまうという不具合があった。逆に、表面塗装の保護を優先に考えてブラシを長毛かつ軟質材にして場合は、固着塵埃を除去できずブラシを傷めるだけという保全上の問題があった。以上のことから、美観と安全機能維持、および保全面での課題解決が望まれていた。【０００４】  本発明は、かかる問題を解消するためになされたものであり、ステップの汚れ度合いに応じて美観と安全面、および保全面でも優れたエスカレーターの清掃装置を提供することを目的とする。
【課題を解決するための手段】
【０００５】  本発明は、上記目的を達成するため請求項１記載のように、乗降口において出入りするステップと、この乗降口を構成する床板と、この床板の先端部に固定されて前記ステップのクリート溝に噛み合う歯先を有するコームと、前記コームと床板間に装着した状態で前記クリート溝に摺接するブラシ体からなるエスカレーターの清掃装置において、前記清掃装置を、短毛かつ硬質材でなる第一のブラシ体と、長毛かつ軟質材でなる第二のブラシ体で構成し、前記第一のブラシ体を短期間装着して前記クリート溝内の固着塵埃を除去し、しかる後に前記第二のブラシ体を長期間装着して前記クリート溝内の付着塵埃を除去する構成としたことを特徴とするエスカレーター用清掃装置とした。
【発明の効果】
【０００６】  上記請求項の構成によれば、本発明の清掃装置は従来の清掃装置のようにステップの移動方向に対してブラシ体の装着向きを変える方法とは異なり、汚れがひどいステップ（通常は既設、経年エスカレーター）に摺接してそれを清掃する第一のブラシ体を短期間装着してクリート溝内にこびりついた固着塵埃を除去し、しかる後に汚れ度合いの軽いステップ（第一のブラシ体で清掃されたステップ、あるいは新設エスカレーターのステップ）に摺接してそれを清掃する第二のブラシ体を常時（長期間）装着して軽度に付着した付着塵埃を除去できる２種類のブラシ体で構成したのである。これにより、ステップの汚れ度合いに応じて固着塵埃、付着塵埃ともに除去でき、美観と安全面、および保全面にも優れたエスカレーターの清掃装置を提供することができる。
【図面の簡単な説明】
【０００７】
【図１】本発明の実施形態を示す要部の斜視図である。
【図２】図１のＡ−Ａ線に沿う断面図である。
【図３】本発明の実施形態を示す単体斜視図である。
【図４】本発明の実施形態を示す単体斜視図である。
【発明を実施するための形態】
【０００８】  以下、本発明による清掃装置を備えたエスカレーターについての実施形態を図１〜図４を用いて説明する。
【実施例】
【０００９】  図において、エスカレーター１は横幅Ｗ１を有する下部の乗降口２から上部の乗降口（図示省略）にかけて多数のステップ３が無端状に連結された状態で、このステップ３の両側に直立する欄干４の周縁に設けられたハンドレール５と同期しながら図２の矢印Ｙ方向に移動して乗客を運ぶようになっている。ここで、乗降口２は強度部材である床板２Ａとそれの表面を覆う表板２Ｂで構成されており、この床板２Ａの先端部には、ステップ３の表面に多数設けられた凹凸のクリート溝３Ａに対して各々凹凸に噛み合う多数の歯先６Ａを有するコーム６が全体幅Ｗ２の範囲内で小分割されてビス７によって床板２Ａに固定されている。さらに、床板２Ａの上面とコーム６の裏面との間で挟まれるように装着されて清掃装置８を構成する薄板（板厚ｔ）の固定体８Ａと、この固定体８Ａとクリート溝３Ａの図２に示す間隔Ｍよりも数ミリメートル大きい寸法の図３に示す長さｈａ（例えば２０ｍｍ）を有する短毛かつ硬質材のブラシ８Ｂからなる全体幅Ｗ２の、第一のブラシ体８Ｃが図２に実線で示した符号８Ｂの取付状態で装着されている。そして、この第一のブラシ体８Ｃを短期間（例えば一日）装着して、クリート溝３Ａ内の固着塵挨Ｋを除去する仕組みとなっている。固着塵埃Ｋは塵埃に油分が混じって凝固、固着したものであるが、これをほぼあるいは完全に除去して美観のよいステップ３となった後は、図４に示す固定体８ＡＡ（板厚は図３と同じ）と長さｈｂ（例えば４０ｍｍ）を有する長毛かつ軟質材のブラシ８ＢＢからなる第二のブラシ体８ＣＣを図２に想像線Ｓで示したように大きく変形させた（その分柔軟な）取付状態で長期間（例えば常時）装着してステップ３の美観を維持する機能を有している。この場合、ブラシ８Ｂ、８ＢＢはどちらもクリート溝３Ａと同じ間隔で固定体８Ａ、８ＡＡにそれぞれ植立されるもので、硬質材、軟質材の区別は材質の違い、あるいは同材質（例えばナイロン材）でも直径差（細い、太い）によってもたらされるものであってもよい。【００１０】  要するに、本発明の清掃装置８は、それぞれ長さと硬軟程度が異なるブラシ８Ｂと８ＢＢを植立した第一のブラシ体８Ｃと第二のブラシ体８ＣＣの二種類を使い分けて汚れ度合いが異なるステップ３の清掃に対処する清掃装置８を提供するものである。ここで、清掃装置８によりステップ３から除去された各種塵埃（Ｋなど）はステップ同士のすき間（図１の符号３Ｂ）から機械内部に落下させ、機械内部の清掃時に搬出されるものである。【００１１】  なお、清掃装置８はステップ３の表面が比較的きれいで通常的な付着塵埃のみのステップ３に対しては第二のブラシ体８ＣＣのみで常時対応してもよいし、汚れが進行し固着塵埃Ｋが生じた時の短期間だけ第一のブラシ体８Ｃを装着して清掃する方法でもよい。
【産業上の利用可能性】
【００１２】  以上説明したように上記実施形態によれば、ステップ表面の汚れ度合いに応じて固着塵埃、付着塵埃ともに除去でき美観と安全面、および保全面にも優れたエスカレーターの清掃装置を提供することができる。
【符号の説明】
【００１３】１  エスカレーター
２  乗降口
２Ａ  床板
３  ステップ
３Ａ  クリート溝
６  コーム
８  清掃装置
８Ａ、８ＡＡ  固定体
８Ｂ、８ＢＢ  ブラシ
８Ｃ  第一のブラシ体
８ＣＣ  第二のブラシ体
【図１】
2012148891.tif 000003
【図２】
2012148891.tif 000004
【図３】
2012148891.tif 000005
【図４】
2012148891.tif 000006